(57)【要約】【課題】  デジタルＴＶの画面を印刷するようにユーザが指示を出した時に、ユーザの必要な情報のみを印刷する手段を提供する。【解決手段】  放送されたデジタル画像データを受信する受信工程と、前記受信手段が受信したデジタル画像データ及び副情報を表示する表示工程と、前記表示された映像情報に優先度を負荷する優先度付加工程と、前記優先度付加手段によって付加された優先度に応じてユーザが必要な情報のみを選択する選択工程と、前記選択工程によって選択された情報を出力することを特徴とする映像出力方法等、を提供する。【選択図】  図１
2006279319.tif 000002
【特許請求の範囲】
【請求項１】
放送されたデジタル画像データを受信する受信工程と、
前記受信工程で受信したデジタル画像データ、及び、副情報を表示手段に表示する表示工程と、
前記表示された映像情報に優先度を付加する優先度付加工程と、
前記優先度付加工程によって付加された優先度に応じてユーザが必要な情報のみを選択する選択工程と、
前記選択工程によって選択された情報を出力する工程とを有することを特徴とする映像出力方法。
【請求項２】
前記選択工程における選択はユーザによってなされることを特徴とする請求項１に記載の映像出力方法。
【請求項３】
前記副情報は放送されたデジタル画像データに含まれる静止画情報であることを特徴とする請求項１に記載の映像出力方法。
【請求項４】
前記副情報は放送されたデジタル画像データに含まれる文字情報であることを特徴とする請求項１に記載の映像出力方法。
【請求項５】
前記副情報は表示手段から出力される時刻情報であることを特徴とする請求項１に記載の映像出力方法。
【請求項６】
前記優先度付加工程における優先度の定義は予めユーザによって設定されていることを特徴とする請求項１に記載の映像出力方法。
【請求項７】
前記優先度付加工程におけるユーザの優先度の設定において、ユーザが複数存在する場合にはユーザ毎に設定がなされることを特徴とする請求項６に記載の映像出力方法。
【請求項８】
優先度に応じて選択された印刷画面をプレビュー機能により確認することが可能であることを特徴とする請求項１〜７のいずれか１項に記載の映像出力方法。
【請求項９】
放送されたデジタル画像データを受信する受信処理と、
前記受信手段が受信したデジタル画像データ、及び、副情報を表示手段に表示する表示処理と、
前記表示された映像情報に優先度を付加する優先度付加処理と、
前記優先度付加処理によって付加された優先度に応じてユーザに必要な情報のみを選択させる選択処理と、
前記選択処理によって選択された情報を出力する処理とをコンピュータに実行させることを特徴とするコンピュータプログラム。
【請求項１０】
請求項９に記載のコンピュータプログラムを記録したことを特徴とするコンピュータ読み取り可能な記録媒体。
【請求項１１】
放送されたデジタル画像データを受信する受信手段と、
前記受信手段が受信したデジタル画像データ、及び、副情報を表示する表示手段と、
前記表示された映像情報に優先度を付加する優先度付加手段と、
前記優先度付加手段によって付加された優先度に応じてユーザが必要な情報のみを選択する選択手段と、
前記選択手段によって選択された情報を出力することを特徴とする映像出力装置。
【発明の詳細な説明】
【技術分野】
【０００１】
本発明はデジタル放送番組のデジタル画像データ及び副情報を印刷する映像出力方法、装置、コンピュータプログラム、及びコンピュータ読み取り可能な記録媒体に関し、ユーザの必要に応じた情報のみを印刷する場合に利用して好適なものである。
【背景技術】
【０００２】
近年、次世代の放送方式として、デジタル放送が注目されている。そのため、デジタルＴＶ放送受信デコーダの開発が進められるとともに、日本においても通信衛星（ＣＳ:Communication Satellite）を用いたデジタルＴＶ放送が開始されている。
【０００３】
また一方では、放送されている番組やビデオに録画した番組等を印刷するために、ビデオプリンタが開発されており、上記デジタルＴＶ受信デコーダに印刷機能を内蔵又は外付けしたデジタルＴＶ放送受信デコーダの開発も進められている。
【０００４】
【特許文献１】特開平１１−１１２９１４号公報
【発明の開示】
【発明が解決しようとする課題】
【０００５】
デジタル放送においては、メインとなる放送と共に様々な副情報を送り、画面に表示することが可能である。例えば図２に示すようにデジタル放送に付随する広告やテロップ等の文字情報及び静止画情報等がメイン画面と共に受信され表示画面に表示される。また、時刻情報等のデジタルＴＶ内部で保持している情報も同時に表示画面に表示することが可能である。
【０００６】
ビデオプリンタでは、デジタルＴＶ放送の任意のフレームをプリントアウトするときには、目的の場面となった時にユーザがリモコンボタン等により印刷指示を出し、表示されている画面の内容をそのまま印刷することが一般的であった。
【０００７】
しかしながら、メイン画面と共に表示されている広告や時刻情報等は、必ずしもユーザにとって印刷する必要のない情報である場合が多く、従来のビデオプリンタシステムにおいてはこのような必要の無い副情報まで印刷されてしまうという問題があった。
【０００８】
特許文献１には、このような問題を解決するために、印刷時にユーザが印刷項目を指定する方法が提案されている。しかしながら、印刷する度に複数存在するコンテンツそれぞれについて印刷するか否かを指定するのは、ユーザにとって非常に煩雑な作業である。
【０００９】
本発明は、上記のような点に鑑みて鑑みて提案されたものであり、ユーザが手軽に必要な情報のみを印刷できるようにすることを目的としている。
【課題を解決するための手段】
【００１０】
本発明による映像出力方法は、放送されたデジタル画像データを受信する受信工程と、前記受信工程で受信したデジタル画像データ、及び、副情報を表示手段に表示する表示工程と、前記表示された映像情報に優先度を付加する優先度付加工程と、前記優先度付加工程によって付加された優先度に応じてユーザが必要な情報のみを選択する選択工程と、前記選択工程によって選択された情報を出力する工程とを有することを特徴とする。
本発明によるコンピュータは、放送されたデジタル画像データを受信する受信処理と、前記受信手段が受信したデジタル画像データ、及び、副情報を表示手段に表示する表示処理と、前記表示された映像情報に優先度を付加する優先度付加処理と、前記優先度付加処理によって付加された優先度に応じてユーザに必要な情報のみを選択させる選択処理と、前記選択処理によって選択された情報を出力する処理とをコンピュータに実行させることを特徴とする。
本発明によるコンピュータ読み取り可能な記録媒体は、本発明のコンピュータプログラムを記録したことを特徴とする。
本発明による映像出力装置は、放送されたデジタル画像データを受信する受信手段と、前記受信手段が受信したデジタル画像データ、及び、副情報を表示する表示手段と、前記表示された映像情報に優先度を付加する優先度付加手段と、前記優先度付加手段によって付加された優先度に応じてユーザが必要な情報のみを選択する選択手段と、前記選択手段によって選択された情報を出力することを特徴とする。
【発明の効果】
【００１１】
本発明によれば、デジタル放送に対応して映像情報の優先度を定義し、ユーザは印刷レベルを指定することにより、手軽に必要な情報のみを印刷することができる。また、選択された映像情報をプレビュー機能により確認可能とすれば、確実に必要な情報のみを印刷することが可能である。
【発明を実施するための最良の形態】
【００１２】
以下、添付図面を参照して、本発明の好適な実施形態について説明する。図１は本発明を適用した映像出力装置の構成を示すブロック図である。アンテナもしくはケーブルにより供給されたデジタル放送信号はチューナ１０１に入力される。チューナ１０１は、受信した信号に対して、復調、誤り訂正等の処理を施し、トランスポートストリームと呼ばれる形式のデジタルデータを生成し、デマルチプレクサ１０２へ出力する。
【００１３】
デマルチプレクサ１０２は、入力された複数のチャンネル分の映像データや音声データ等が時分割多重されているトランスポートストリームデータのなかから、制御部１０７の指示により選択されたチャンネルにおいて、現在放送中の番組に係わる映像データ及び音声データを抽出し、各々を映像情報デコーダ１０４、音声情報デコーダ１０３へ出力する。
【００１４】
また、デマルチプレクサ１０２は、選択されたチャンネルの番号とＴＳデータに含まれるテロップや字幕等の文字情報及び関連する広告等の静止画情報を副情報デコーダ１０５へ出力する。
【００１５】
音声情報デコーダ１０３は、デマルチプレクサ１０２より出力された音声データに対して音声デコード処理を施し、復号した音声データをＤ／Ａ変換器１０８へ出力する。Ｄ／Ａ変換器１０８は、音声情報デコーダ１０３より入力されたデジタルの音声デ一タをアナログ信号に変換し、音声出力器１０９に出力する。
【００１６】
映像情報デコーダ１０４は、デマルチプレクサ１０２より出力された映像データに対してデコード処理を施し、復号した映像データを画像合成器１１０へ出力するとともに選択器１１３及び優先度付加器１１４へ出力する。
【００１７】
副情報デコーダ１０５は、デマルチプレクサ１０２より出力された副情報データに対してデコード処理を施し、復号した副情報データを画像合成器１１０へ出力するとともに選択器１１３及び優先度付加器１１４へ出力する。
【００１８】
映像出力装置内部の副情報生成器１０６は、時刻情報等、装置の内部情報のみで生成できる副情報を生成し、映像情報として画像合成器１１０へ出力するとともに選択器１１３及び優先度付加器１１４へ出力する。
【００１９】
画像合成器１１０は、映像情報デコーダ１０４から出力されるメイン放送の映像情報及び副情報デコーダ１０５から出力される、データ放送中の広告や静止画等の副情報及び副情報生成器１０６から出力される時刻情報等の副情報を合成し、Ｄ／Ａ変換器１１１へ出力する。Ｄ／Ａ変換器１１１は、画像合成器１１０より入力された合成映像デ一タをアナログ信号に変換し、表示装置１１２に出力する。
【００２０】
制御部１０７は、放送されている番組を選択するために、チューナ１０１とデマルチプレクサ１０２を制御するとともに、ユーザの印刷指示をプリンタ１１７へ出力する。同時に制御部１０７は、予め設定されたユーザの優先度の定義及びユーザによって選択された印刷レベルとから印刷対象を選択するための優先度情報、印刷レベル情報を優先度付加器１１４へ出力する。
【００２１】
優先度付加器１１４は、映像情報デコーダ１０４、副情報デコーダ１０５、副情報生成器１０６から出力された映像情報を制御部から出力された優先度情報を用いて各映像情報の優先度を識別し、さらに制御部１０７から出力される印刷レベル信号を用いて選択信号を選択器１１３へ出力する。
【００２２】
選択器１１３は、映像情報デコーダ１０４、副情報デコーダ１０５、副情報生成器１０６より出力された映像情報の中から、優先度付加器１１４から出力された選択信号を用いて実際に印刷すべき映像情報のみを選択して画像合成器１１５へ出力する。
【００２３】
画像合成器１１５においては、選択器１１３より入力された映像情報を合成して色変換器１１６へ出力する。色変換器１１６は、画像合成部１１５より出力される、合成されたＲＧＢ系もしくはＹＵＶ等の色差系の画像信号を、通常プリンタで使用されているＹＭＣＫ系へ色変換を行いプリンタ１１７へ出力する。プリンタ１１７は、制御部１０７からの制御信号に応じて色変換器１１６より出力される色変換された画像データを印刷する。
【００２４】
以上説明した映像出力装置の実際の使用法を図３、図４を用いて説明する。まず本実施形態の映像出力装置を使って印刷する前に、ユーザは図３のように副情報の候補それぞれについて優先度を定義する。各副情報について印刷の必要度が高いもの（印刷が必要になる可能性が高いもの）を高レベルに設定し、逆に必要度が低いもの（印刷が必要になる可能性が低いもの）を低レベルに設定する。この優先度の定義は、家族等ユーザが複数存在する場合にはユーザ毎に設定することが可能である。
【００２５】
この優先度定義がなされた後に、実際のデジタル放送中にユーザから印刷指示が出されると図４に示されるように印刷レベルの選択画面が表示される。ここでユーザは必要に応じて印刷レベルを選択する。選択された印刷レベルに基づいて、デジタルＴＶ内の優先度付加器は画面内の情報認識を行う。
【００２６】
時刻等については、映像出力装置内部で生成された情報なので識別可能である。
【００２７】
また、テロップ、字幕、広告等については、画面内の位置及び文字情報であるか否か及び文字の大きさからＯＣＲ(Optical Character Recognition)技術を用いて認識を行う。例えば画面中央下部付近に表示されすぐに変化するならば字幕、文字の大きいならばテロップと認識し、また、文字情報でありかつ画面の端にあり一定時間変化が無いならば広告情報として認識する。
【００２８】
認識された副情報及び印刷レベル及び記憶された優先度定義情報を用いて映像出力装置内部で印刷プレビュー画面を画面に表示し、ユーザの了解が得られれば実際の印刷を行う。
【００２９】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００３０】
この場合、記憶媒体から読み出されたプログラムコード自体が上述した実施形態の機能を実現することになり、プログラムコード自体及びそのプログラムコードを記憶した記憶媒体は本発明を構成することになる。
【００３１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３２】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００３３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３４】
【図１】本発明を適用した映像出力装置の構成を示すブロック図である。
【図２】デジタル放送と共に表示される副情報を示す図である。
【図３】映像出力装置における優先度定義の設定例を示す図である。
【図４】映像出力装置における印刷レベルの選択及び印刷プレビューを示す図である。
【符号の説明】
【００３５】
１０１  チューナ
１０２  デマルチプレクサ
１０３  音声情報デコーダ
１０４  映像情報デコーダ
１０５  副情報デコーダ
１０６  副情報生成器
１０７  制御部
１０８  Ｄ／Ａ変換器
１０９  音声出力器
１１０  画像合成部
１１１  Ｄ／Ａ変換器
１１２  表示装置
１１３  選択器
１１４  優先度付加器
１１５  画像合成部
１１６  色変換器
１１７  プリンタ
【図１】
2006279319.tif 000003
【図２】
2006279319.tif 000004
【図３】
2006279319.tif 000005
【図４】
2006279319.tif 000006